(57)【要約】【課題】特定受口部への入球確率を変動可能にすることによって遊技者に面白みを与えることができ、しかも、低確率状態と高確率状態の２つの遊技状態をつくりだすこと。【解決手段】回転体２４の外周部に複数の受口部２４ａ，２４ｂ，２４ｂを有し、複数の受口部２４ａ，２４ｂ，２４ｂの一部２４ａを特定受口部として予め定めておき、特定受口部２４ａへの入球を発端として遊技者に対し有利な遊技状態をつくりだすパチンコ遊技機において、複数の受口部２４ａ，２４ｂ，２４ｂへ遊技球を誘導する誘導経路を切り替える誘導経路切替手段２２を設け、誘導経路切替手段２２により特定受口部２４ａへの入球確率を変動させる。【選択図】図２
2004313597.tif 000002
【特許請求の範囲】
【請求項１】
回転体の外周部に複数の受口部を有し、複数の受口部の一つを特定受口部として予め定めておき、該特定受口部への入球を発端として遊技者に対し有利な遊技状態をつくりだすパチンコ遊技機において、
前記複数の受口部へ遊技球を誘導する誘導経路を切り替える誘導経路切替手段を設け、該誘導経路切替手段により前記特定受口部への入球確率を変動させることを特徴とするパチンコ遊技機。
【請求項２】
前記誘導経路は、前記回転体の外周側から遊技球を前記複数の受口部へ誘導する外周誘導経路と、前記回転体の中央上方からの遊技球を前記特定受口部へ誘導する中央誘導経路とからなり、前記誘導経路切替手段は、通常遊技モード時は前記外周誘導経路へ遊技球を誘導し、かつ、特定遊技モード時は前記中央誘導経路へ遊技球を誘導することを特徴とする請求項１記載のパチンコ遊技機。
【発明の詳細な説明】
【０００１】
【発明の属する技術分野】
本発明は、パチンコ遊技機、特に、回転体役物を有するパチンコ遊技機に関する。
【０００２】
【従来の技術】
従来から、回転体の外周部に複数の受口部を有し、複数の受口部の一つを特定受口部として予め定めておき、特定受口部への入球を発端として遊技者に対し有利な遊技状態をつくりだすパチンコ遊技機が知られている（例えば、特許文献１参照）。
【０００３】
【特許文献１】
特開平１１−１３７７８９号公報
【０００４】
【発明が解決しようとする課題】
しかし、従来技術においては、受口部が３つで、そのうちの１つが特定受口部である場合、特定受口部への入球確率は常に１／３と不変であり、遊技者にとって面白みに欠けるものであった。また、このような従来技術においては、低確率状態と高確率状態の２つの遊技状態をつくりだすことは不可能であった。
【０００５】
本発明は、上記のような従来技術の問題点を解決し、特定受口部への入球確率を変動可能にすることによって遊技者に面白みを与えることができ、しかも、低確率状態と高確率状態の２つの遊技状態をつくりだすことができるパチンコ遊技機を提供することを目的とする。
【０００６】
【課題を解決するための手段】
請求項１に係るパチンコ遊技機は、回転体の外周部に複数の受口部を有し、複数の受口部の一つを特定受口部として予め定めておき、該特定受口部への入球を発端として遊技者に対し有利な遊技状態をつくりだすパチンコ遊技機において、前記複数の受口部へ遊技球を誘導する誘導経路を切り替える誘導経路切替手段を設け、該誘導経路切替手段により前記特定受口部への入球確率を変動させることを特徴とする。
【０００７】
請求項１に係るパチンコ遊技機によると、特定受口部への入球確率を変動可能にしたため、遊技者に面白みを与えることができ、しかも、低確率状態と高確率状態の２つの遊技状態をつくりだすことが可能になる。
【０００８】
請求項２に係るパチンコ遊技機は、請求項１において、前記誘導経路は、前記回転体の外周側から遊技球を前記複数の受口部へ誘導する外周誘導経路と、前記回転体の中央上方からの遊技球を前記特定受口部へ誘導する中央誘導経路とからなり、前記誘導経路切替手段は、通常遊技モード時は前記外周誘導経路へ遊技球を誘導し、かつ、特定遊技モード時は前記中央誘導経路へ遊技球を誘導することを特徴とする。
【０００９】
請求項２に係るパチンコ遊技機によると、受口部が３つで、そのうちの１つが特定受口部である場合、通常遊技モード時には特定受口部への入球確率は１／３であるが、特定遊技モード時には特定受口部への入球確率は１となり、低確率状態と高確率状態の２つの遊技状態をつくりだすことができる。
【００１０】
【発明の実施の形態】
以下、本発明の実施形態を図面に基づいて説明する。
【００１１】
図１は、本発明の一実施形態に係るパチンコ遊技機の正面図、図２は、回転体役物の斜視図、図３は、通常遊技モード時の回転体役物の斜視図、図４，５，６は、通常遊技モード時の回転体役物の説明図、図７，８は、受口部と排出口との位置関係の説明図、図９は、特定遊技モード時の回転体役物の斜視図を示す。
【００１２】
図１において、パチンコ遊技機は、遊技盤の遊技領域１の中央部に回転体役物２を備え、回転体役物２の上方に、回転体役物２への遊技球の入口を構成する可変入賞装置（開閉部材、いわゆるチューリップ）３が設けられている。可変入賞装置３は、通常時は閉状態に保持されて回転体役物２への入球を阻止しており、遊技領域１の左下部のゲート４を遊技球が通過した時、短時間開状態となり、回転体役物２への入球を可能にする動作を行う。
【００１３】
回転体役物２は、図２に示すように、遊技球の通過を検出するための入賞感知機構２１を備え、この入賞感知機構２１の下方に誘導経路切替手段２２を備える。入賞感知機構２１は、不正行為を防止する手段であり、入賞感知機構２１を通過しないで後述する特定受口部２４ａへの入球があった場合に、この入球を無効化する機能を有する。
【００１４】
誘導経路切替手段２２は、断面Ｕ字形状の振分部材２２ａを備え、振分部材２２ａは、水平な回転軸２２ｂ回りに半回転可能である。振分部材２２ａは、入賞感知機構２１を通過してきた遊技球を左右方向又は前方（遊技者の方向）へ振り分ける作用をするものであり、通常遊技モード時には、正面視逆Ｕ字状を呈する回転位置に保持されて遊技球を左右方向へ誘導し（図３参照）、また、特定遊技モード時には、正面視Ｕ字状を呈する回転位置に保持されて遊技球を受け止めて前方へ誘導する（図９参照）。
【００１５】
振分部材２２ａの前方に、断面凹状の誘導板部材２３が固定配置されている。誘導板部材２３の振分部材２２ａ側の端部に、リブ２３ａが突設されている。リブ２３ａは、振分部材２２ａによる左右方向への誘導作用を確実化させるために設けられており、振分部材２２ａから前方への遊技球の移動を阻止する作用をする。なお、リブ２３ａは、振分部材２２ａが正面視Ｕ字状を呈する回転位置に保持されているときは、振分部材２２ａから前方への遊技球の移動を許容する。
【００１６】
誘導板部材２３の下方に厚肉円板状の回転体２４が配置されている。回転体２４の外周部には、遊技球を係留可能な複数例えば３つの受口部２４ａ，２４ｂ，２４ｂが形成されている。３つの受口部２４ａ，２４ｂ，２４ｂのうち、１つの受口部２４ａは特定受口部として構成され、残りの２つの受口部２４ｂ，２４ｂは一般受口部として構成される。特定受口部２４ａから回転体２４の上面中央部まで中央誘導経路２４ｃが延設されている。中央誘導経路２４ｃは、回転体２４がどの回転位置にあっても、誘導板部材２３の前端から落下した遊技球をほぼ確実に特定受口部２４ａまで誘導する作用をする。
【００１７】
回転体２４は、盆部材２５の中央部に配置され、図示しない駆動機構によって常時一定方向へ一定速度で回転する。盆部材２５は、円板状の底板部２５ａと、この底板部２５ａの外周縁に立設されたリング状の外壁部２５ｂと、この外壁部２５ｂの内側に配設されたほぼ１／２リング状の内壁部２５ｃとを備える。回転体２４は、内壁部２５ｃの内側に配置されている。外壁部２５ｂと内壁部２５ｃとの間に形成される空間２５ｄは、振分部材２２ａによって左右方向へ振り分けられた遊技球を回転体２４の前部へ誘導する外周誘導経路を構成している。
【００１８】
特定受口部２４ａ及び一般受口部２４ｂ，２４ｂの各々の回転体半径方向における位置は互いに相違しており、特定受口部２４ａの方が回転体２４の中心寄りに位置している。盆部材２５の底板部２５ａには、特定受口部２４ａの回転軌跡上に抽選用排出口２６（図７，８参照）が形成され、一般受口部２４ｂの回転軌跡上にハズレ排出口２７（図７，８参照）が形成されている。特定受口部２４ａに係留された遊技球は、回転体２４の回転によって抽選用排出口２６まで運ばれてきたとき抽選用排出口２６から下方へ排出され、また、一般受口部２４ｂに係留された遊技球は、回転体２４の回転によって抽選用排出口２６を通過した後ハズレ排出口２７まで運ばれてきたときハズレ排出口２７から下方へ排出される。
【００１９】
回転体役物２の下方には、判定装置５の表示部５１が設けられている。判定装置５は、抽選用排出口２６から遊技球が排出された場合、大当たりかハズレかの抽選を行なうとともに表示部５１に図柄例えば「１」〜「７」の数字を変動表示させ、抽選結果が大当たりである場合には大当たり図柄例えば数字の「３」又は「７」を停止図柄として表示し、一方抽選結果がハズレである場合にはハズレ図柄例えば数字の「１」，「２」，「４」，「５」又は「６」を停止図柄として表示する。
【００２０】
遊技領域１の右部には、第３種始動口６が設けられている。第３種始動口６は、常時垂直回転する回転体６１を有しており、この回転体６１の外周部には遊技球を係留可能な受口部６１ａが形成されている。回転体６１の直上には、遊技球を回転体６１の上端に係留し回転体６１の受口部６１ａが上端位置まで回転してきたときに遊技球を受口部６１ａへ入球可能にする遊技釘６２，６２が設けられている。受口部６１ａに入球した遊技球は受口部６１ａに係留されながら下方へ運ばれ受口部６１ａがほぼ下端位置まできたとき受口部６１ａから落下する。入賞感知機構６３は、受口部６１ａから落下してきた遊技球を検出するためのものである。
【００２１】
第３種始動口６の下方には、大当たり状態のときに原則として所定ラウンド数例えば１５ラウンド開閉動作を行ない多数の遊技球を入賞させて遊技者に有利な遊技状態をつくるための大入賞口７が設けられている。
【００２２】
次に、上記のように構成されたパチンコ遊技機の主要な動作を説明する。
【００２３】
遊技領域１に打球された遊技球がゲート４を通過すると、可変入賞装置３は短時間開状態となる。この開状態の可変入賞装置３に遊技球が入賞すると、遊技球は回転体役物２へと落下してゆく。回転体役物２においては、遊技球はまず入賞感知機構２１を通過し、振分部材２２ａまで到達する。この時点での遊技モードが通常遊技モードである場合、振分部材２２ａは正面視逆Ｕ字を呈する回転位置に保持されている（図３参照）。このため、遊技球は振分部材２２ａによって左右方向へ振り分けられ、外周誘導経路２５ｄを通って回転体２４の前部へと移動する。そして、回転体２４の回転位置によって、図４、図５及び図６に示すように、特定受口部２４ａ、一方の一般受口部２４ｂ又は他方の一般受口部２４ｂのいずれかの受口部に入球する。ここで、特定受口部２４ａへの入球確率は１／３である。
【００２４】
特定受口部２４ａに入球した場合、遊技球は特定受口部２４ａに係留されながら回転移動してゆき、抽選用排出口２６の真上まできたとき特定受口部２４ａから抽選用排出口２６へと排出される。抽選用排出口２６から排出された遊技球は、図示しない入賞感知機構によって検出され、入賞感知機構から検出信号が判定装置５に送信される。判定装置５はこの検出信号を受信すると、大当たりかハズレかの抽選を行なうとともに表示部５１において「１」〜「７」の数字の変動表示を開始する。
【００２５】
抽選結果が「３」又は「７」の大当たりの場合、表示部５１に「３」又は「７」を停止図柄として表示する。その後、第３種始動口６の回転体６１の受口部６１ａに遊技球が入球し、この遊技球が入賞感知機構６３によって検出されると、入賞感知機構６３から検出信号が判定装置５に送信される。判定装置５は、検出信号を受信すると、大当たり遊技モードを開始し、原則として大入賞口７を所定ラウンド数だけ開状態とし、大入賞口７に多数の遊技球が入賞して遊技者に多数の賞球が払い出される。
【００２６】
停止図柄が「７」の大当たり遊技モードが終了した場合、その後の遊技モードは、遊技者に有利な特定遊技モードとなる。特定遊技モードでは、振分部材２２ａはそれまでの正面視逆Ｕ字状の回転位置から半回転して正面視Ｕ字状の回転位置に保持される。このため、遊技球のゲート４通過を発端として回転体役物２に入球した遊技球は、振分部材２２ａにより前方の誘導板部材２３へ振り分けられるようになり、中央誘導経路２４ｃを経てほぼ確実に特定受口部２４ａに入球するようになる（図９参照）。つまり、特定遊技モード時には、特定受口部２４ａへの入球確率は１となり、通常遊技モード時の入球確率（＝１／３）の３倍に増大する。したがって、判定装置５による抽選回数は増大し、大当たり状態の発生確率は増大する。
【００２７】
一方、停止図柄が「３」の大当たり遊技モードが終了した場合には、その後の遊技モードは通常遊技モードのままとされ、振分部材２２ａは正面視逆Ｕ字状の回転位置に保持される。したがって、特定受口部２４ａへの入球確率は依然として１／３のままである。
【００２８】
なお、抽選結果がハズレであった場合、判定装置５は表示部５１に「１」，「２」，「４」，「５」，「６」を停止図柄として表示するに止まる。
【００２９】
以上説明したように、本実施形態に係るパチンコ遊技機は、回転体２４の外周部に複数の受口部２４ａ，２４ｂ，２４ｂを有し、複数の受口部２４ａ，２４ｂ，２４ｂの一部２４ａを特定受口部として予め定めておき、特定受口部２４ａへの入球を発端として遊技者に対し有利な遊技状態をつくりだすパチンコ遊技機において、複数の受口部２４ａ，２４ｂ，２４ｂへ遊技球を誘導する誘導経路を切り替える誘導経路切替手段２２を設け、誘導経路切替手段２２により特定受口部２４ａへの入球確率を変動させている。
【００３０】
本実施形態に係るパチンコ遊技機によると、特定受口部２４ａへの入球確率を変動可能にしたため、遊技者に面白みを与えることができ、しかも、低確率状態と高確率状態の２つの遊技状態をつくりだすことが可能になる。
【００３１】
また、本実施形態に係るパチンコ遊技機は、誘導経路は、回転体２４の外周側から遊技球を複数の受口部２４ａ，２４ｂ，２４ｂへ誘導する外周誘導経路２５ｄと、回転体２４の中央上方からの遊技球を特定受口部２４ａへ誘導する中央誘導経路２４ｃとからなり、誘導経路切替手段２２は、通常遊技モード時は外周誘導経路２５ｄへ遊技球を誘導し、かつ、特定遊技モード時は中央誘導経路２４ｃへ遊技球を誘導している。このため、通常遊技モード時には特定受口部２４ａへの入球確率は１／３であるが、特定遊技モード時には特定受口部２４ａへの入球確率は１となり、低確率状態と高確率状態の２つの遊技状態をつくりだすことができる。
【００３２】
【発明の効果】
本発明のパチンコ遊技機によると、特定受口部への入球確率を変動可能にすることによって遊技者に面白みを与えることができ、しかも、低確率状態と高確率状態の２つの遊技状態をつくりだすことができる。
【図面の簡単な説明】
【図１】本発明の一実施形態に係るパチンコ遊技機の正面図である。
【図２】回転体役物の斜視図である。
【図３】通常遊技モード時の回転体役物の斜視図である。
【図４】通常遊技モード時の回転体役物の説明図である。
【図５】通常遊技モード時の回転体役物の説明図である。
【図６】通常遊技モード時の回転体役物の説明図である。
【図７】受口部と排出口との位置関係の説明図である。
【図８】受口部と排出口との位置関係の説明図である。
【図９】特定遊技モード時の回転体役物の斜視図である。
【符号の説明】
２    回転体役物
２２    誘導経路切替手段
２２ａ    振分部材
２４    回転体
２４ａ    特定受口部
２４ｂ    一般受口部
２４ｃ    中央誘導経路
２５ｄ    外周誘導経路
【図１】
2004313597.tif 000003
【図２】
2004313597.tif 000004
【図３】
2004313597.tif 000005
【図４】
2004313597.tif 000006
【図５】
2004313597.tif 000007
【図６】
2004313597.tif 000008
【図７】
2004313597.tif 000009
【図８】
2004313597.tif 000010
【図９】
2004313597.tif 000011